(57)【要約】【課題】  シールドに優れ、しかも、高密度でコンパクトなコネクタを提供する。【解決手段】  ピンコネクタ１００は、複数の信号ピンコンタクト１３０Ａ〜１３０Ｅと、各コンタクトをそれぞれ保持するベースインシュレータ１４０及びフロントインシュレータ１５０と、複数枚の第１コラム用シールド板１１０Ａ及び１枚の第２コラム用シールド板１１０Ｂと、各１枚の第１ライン用シールド板１２０Ａ及び第２ライン用シールド板１２０Ｂとを有する。第１コラム用シールド板は、断面コ字状に構成される。各信号ピンコンタクトは、中間部で９０°曲げられる。各信号ピンコンタクトは、ピッチ方向に配設され、かつ、ピッチ方向と直交する方向に複数列配設される。各第１コラム用シールド板と第２コラム用シールド板はピッチ方向の各コンタクト間に配置され、第１ライン用シールド板と第２ライン用シールド板はピッチ方向と直交する方向に配置されている各信号ピンコンタクトを挟むように配置される。【選択図】  図３
2006269107.tif 000002
【特許請求の範囲】
【請求項１】
接続対象物に搭載されるコネクタにおいて、
前記コネクタは、複数のコンタクトと、前記各コンタクトをそれぞれ保持するベースインシュレータ及びフロントインシュレータと、複数の第１シールド板と、複数の第２シールド板とを有し、前記各第１シールド板は１つを除いて断面コ字状に構成され、
前記各コンタクトは、相手側コネクタの接続部と接続する接続部と、前記接続対象物の接続部と接続する端子部と、前記接続部と前記端子部との間を連結し、かつ、９０°曲げられている中間部とを有し、
前記各コンタクトは、ピッチ方向に配設され、かつ、前記ピッチ方向と直交する方向に複数列配設され、
前記各第１シールド板は前記ピッチ方向の前記各コンタクト間に配置され、前記各第２シールド板は前記ピッチ方向と直交する方向に配設されている前記各コンタクトを挟むように配置され、
前記各第１シールド板と前記各第２シールド板とは、相互に接続固定する係合部をそれぞれ有し、
前記各コンタクト、前記各第１シールド板及び前記各第２シールド板が前記ベースインシュレータに挿入保持された後、前記各コンタクトと前記各第１シールド板及び前記各第２シールド板の内少なくとも一方が前記フロントインシュレータに保持されることにより、前記ベースインシュレータと前記フロントインシュレータが組立てられることを特徴とするコネクタ。
【請求項２】
前記ベースインシュレータに形成されている階段状部と前記フロントインシュレータに形成されている階段状部とが合わされることにより、前記ベースインシュレータと前記フロントインシュレータとが合体することを特徴とする請求項１記載のコネクタ。
【発明の詳細な説明】
【技術分野】
【０００１】
本発明は、基板等の接続対象物に搭載されるコネクタに関し、詳しく述べると、シールド機能を有するアングルタイプのコネクタに関する。
【背景技術】
【０００２】
従来のシールド機能を有するアングルタイプのコネクタについて説明する（例えば、特許文献１参照。）。
【０００３】
プラグコネクタ２０は、図６に示すように、リセプタクルコネクタ（図示せず）が挿入される開口２１を有するハウジング２２と、そのハウジング２２に対して格子状に配列された複数のピン端子２３とを備える。ハウジング２２は、側面から見てコ字形であり、上板２４と、底板２５と、背面板２６とを有する。ハウジング２２は、高さＨ及び長さＬよりも幅Ｗの寸法が小さく形成されている。したがって、ピン端子２３は、図示例ではハウジング２２の高さ方向に５段、幅方向に３列、合計１５本配列されている。全てのピン端子２３は、角ピンとして形成されている。
【０００４】
ハウジング２２は全体が絶縁性樹脂により形成され、全てのピン端子２３がハウジング２２の背面板２６をその板厚方向に貫通している。これにより、各ピン端子２３が電気的に互いに絶縁されている。ハウジング２２の上板２４及び底板２５には、リセプタクルコネクタの挿入を容易にするためのガイド斜面２４ａ，２５ａが形成されている。
【０００５】
ハウジング２２内には、プラグ側シールドを構成する複数の縦シールド板２７がハウジング２２の幅方向に等間隔で設けられている。各縦シールド板２７は長方形の板状に形成され、ハウジング２２の幅方向において隣り合うピン端子２３，２３間にそれぞれ配列されている。各縦シールド板２７は、縦置きに配置されている。これにより、ピン端子２３は、縦列５ピン毎に縦シールド板２７で区画された（両側から縦シールド板で挟まれた）形態である。各ピン端子２３は、同一の長さで、縦シールド板２７の長さ寸法よりも長く形成されている。
【０００６】
なお、ハウジング２０に圧入されているチクレットについては後述する。
【０００７】
次に、チクレット５０について説明する。図７に示すように、チクレット５０は、プラグコネクタ２０の主要構成要素である複数のピン端子２３と、これらのピン端子を基板へ接続するために９０度曲げたテール２３ａと、複数のピン端子２３と９０度曲げしたテール２３ａとを接続している接続線（図示せず）と、一枚の縦シールド板２７と、モールド部分５１とを備えたユニットタイプとして構成されている。そして、ピン端子２３、テール２３ａ、接続線及び縦シールド板２７とが同時にインサート成形されている。従って、プラグコネクタ２０は、ハウジング２２と、複数（３つ）のチクレット５０により構成されている。
【０００８】
ハウジング２２の背面板２６には、ピン端子２３の挿入口２６ａと、縦シールド板２７の挿入口２６ｂがそれぞれ設けられている。従って、図６に示すように各チクレット２００をハウジング２２に圧入することで、プラグコネクタ２０が構成される。
【０００９】
【特許文献１】特開２００２−３３４７５２号公報（第５頁第７欄第１５行−第６頁第１０欄第２３行、図１−図１０）
【発明の開示】
【発明が解決しようとする課題】
【００１０】
前記従来のコネクタは、ピン端子２３（信号コンタクト）のコラム（前後方向の列）間に配置されている縦シールド板２７を有する。この場合、コラム間のみに縦シールド板２７が配置されているので、外部から及ぼされるノイズの対策は十分ではない。
【００１１】
仮に、最上段の信号コンタクトをグランド用コンタクトに換えると、信号コンタクトが減少する。したがって、コネクタの体積における信号コンタクトの割合は、高密度でない。
【００１２】
そこで、本発明は、前記従来のコネクタの欠点を改良し、シールドに優れ、しかも、高密度でコンパクトなコネクタを提供しようとするものである。
【課題を解決するための手段】
【００１３】
本発明は、前記課題を解決するため、次の手段を採用する。
【００１４】
１．接続対象物に搭載されるコネクタにおいて、前記コネクタは、複数のコンタクトと、前記各コンタクトをそれぞれ保持するベースインシュレータ及びフロントインシュレータと、複数の第１シールド板と、複数の第２シールド板とを有し、前記各第１シールド板は１つを除いて断面コ字状に構成され、前記各コンタクトは、相手側コネクタの接続部と接続する接続部と、前記接続対象物の接続部と接続する端子部と、前記接続部と前記端子部との間を連結し、かつ、９０°曲げられている中間部とを有し、前記各コンタクトは、ピッチ方向に配設され、かつ、前記ピッチ方向と直交する方向に複数列配設され、前記各第１シールド板は前記ピッチ方向の前記各コンタクト間に配置され、前記各第２シールド板は前記ピッチ方向と直交する方向に配設されている前記各コンタクトを挟むように配置され、前記各第１シールド板と前記各第２シールド板とは、相互に接続固定する係合部をそれぞれ有し、前記各コンタクト、前記各第１シールド板及び前記各第２シールド板が前記ベースインシュレータに挿入保持された後、前記各コンタクトと前記各第１シールド板及び前記各第２シールド板の内少なくとも一方が前記フロントインシュレータに保持されることにより、前記ベースインシュレータと前記フロントインシュレータが組立てられるコネクタ。
【００１５】
２．前記ベースインシュレータに形成されている階段状部と前記フロントインシュレータに形成されている階段状部とが合わされることにより、前記ベースインシュレータと前記フロントインシュレータとが合体する前記１記載のコネクタ。
【発明の効果】
【００１６】
明細書の説明から明らかなように、本発明は、次の効果を奏する。
【００１７】
１．複数の第１シールド板は１つを除いて断面コ字状に構成されて複数のコンタクトのピッチ方向の各コンタクト間に配置され、複数の第２シールド板はピッチ方向と直交する方向に配設されている各コンタクトを挟むように配置されるので、シールドに優れたコネクタを提供できる。
【００１８】
２．複数のコンタクト、複数の第１シールド板及び複数の第２シールド板がベースインシュレータに挿入保持された後、各コンタクトと各第１シールド板及び各第２シールド板の内少なくとも一方がフロントインシュレータに保持されることにより、ベースインシュレータとフロントインシュレータが組立てられる。したがって、組立分解が簡便である。
【００１９】
３．各コンタクトが高密度に配設され、コネクタはコンパクトに構成される。
【発明を実施するための最良の形態】
【００２０】
本発明の一実施例の基板等の接続対象物へ搭載されるコネクタについて説明する。
【実施例１】
【００２１】
本発明の実施例１について図１〜図５を参照して説明する。
【００２２】
まず、図１は、本発明のアングルタイプのピンコネクタ１００の斜視図である。
【００２３】
ピンコネクタ１００のインシュレータのベースインシュレータ１４０とフロントインシュレータ１５０とは、合体している。両インシュレータ１４０，１５０には、合計２０本（４列各５本）の第１〜第５信号ピンコンタクト１３０Ａ〜１３０Ｅ、合計４枚の第１コラム用シールド板１１０Ａ、１枚の第２コラム用シールド板１１０Ｂ、１枚の第１ライン用シールド板１２０Ａ及び１枚の第２ライン用シールド板１２０Ｂが、挿入保持されている。
【００２４】
図２は、相手側コネクタの一例としてソケットコネクタを構成する部品のモジュール２００の斜視図である。なお、この場合の相手側コネクタ（図示せず）は、モジュール２００を芯数に応じて重ねて構成され、各モジュール２００にケーブル２０１が接続されている。
【００２５】
モジュール２００の上下両面の一端側には、ピンコネクタ１００の第１コラム用シールド板１１０Ａと第２コラム用シールド板１１０Ｂの各接触ばね１１１（図３参照）と接続するための接触片２１０が設けられている。また、モジュール２００には、５つのコンタクト２０３が保持されている。コンタクト２０３は、接触部２０４と、保持部２０５と、圧接部２０６とから構成され、圧接部２０６はケーブル２０１のドレーン線２０２と接続する。
【００２６】
次に、図３は、ピンコネクタ１００を構成する諸部品の分解斜視図である。以下に、諸部材について順次説明する。
【００２７】
１．第１コラム用シールド板（便宜上、２枚図示する。）
第１コラム用シールド板１１０Ａは、断面コ字状に構成され、嵌合側の上下両面の先端部には、接触ばね１１１が設けられ、基板実装側には、２箇所に切り欠き（係合部）１１２が設けられている。
【００２８】
２．第２コラム用シールド板（１枚）
第２コラム用シールド板１１０Ｂは、板状に構成され、嵌合側の先端部の上下両面には、接触ばね１１１が設けられ、基板実装側には、２箇所に切り欠き（係合部）１１２が設けられている。
【００２９】
３．第１ライン用シールド板（１枚）
第１ライン用シールド板１２０Ａは、板状に構成され、基板実装側には、基板との数箇所の接続部１２１が設けられ、基板実装側の逆側には、第１、第２両コラム用シールド板１１０Ａ，１１０Ｂと同数（３個）の切り欠き（係合部）１２２が設けられている。
【００３０】
４．第２ライン用シールド板（１枚）
第２ライン用シールド板１２０Ｂは、第１ライン用シールド板１２０Ａと対比して、板状部の大きさが小さい点で相違し、その他の点では同様である。
【００３１】
５．第１〜第５信号ピンコンタクト（便宜上、各１本図示する。）
第１〜第５信号ピンコンタクト１３０Ａ〜１３０Ｅ（ただし、第２、第３信号ピンコンタクト１３０Ｂ，１３０Ｃについては、図４参照。）は、基板と接続する端子部１３１と、ベースインシュレータ１４０との位置決め部１３２と、フロントインシュレータ１５０との固定部１３３と、相手側コネクタのソケットコンタクトとの接続部１３４とから対称形状に一体として構成されている。
【００３２】
６．ベースインシュレータ（１個）
ベースインシュレータ１４０は、階段状部１４４を有するように構成される。ベースインシュレータ１４０には、２枚の第１コラム用シールド板１１０Ａをそれぞれ収納する２本の溝１４１、第２コラム用シールド板１１０Ｂを収納する溝１４２、各２本の第１〜第５信号ピンコンタクト１３０Ａ〜１３０Ｅをそれぞれ収納する合計１０個の穴１４３、第１ライン用シールド板１２０Ａを収納する溝１４５及び第２ライン用シールド板１２０Ｂを収納する溝１４６が、設けられている。
【００３３】
７．フロントインシュレータ（１個）
フロントインシュレータ１５０は、階段状部１５４を有するように構成される。フロントインシュレータ１５０には、２枚の第１コラム用シールド板１１０Ａをそれぞれ収納する２本の溝１５１、第２コラム用シールド板１１０Ｂを収納する溝１５２及び各２本の第１〜第５信号ピンコンタクト１３０Ａ〜１３０Ｅをそれぞれ収納する合計１０個の穴１５３が設けられている。なお、第１〜第５信号ピンコンタクト１３０Ａ〜１３０Ｅは、図４に示されるように、９０°の角度で、略Ｌ字形状に曲げられている。
【００３４】
続いて、ピンコネクタ１００の組立工程について順次説明する。
【００３５】
１．ベースインシュレータ１４０の１０個の穴１４３に、各２本の第１〜第５信号ピンコンタクト１３０Ａ〜１３０Ｅをそれぞれ圧入する。各第１〜第５信号ピンコンタクト１３０Ａ〜１３０Ｅは、位置決め部１３２によりベースインシュレータ１４０の所定の箇所に固定される。他の方法としては、インサート成形により各第１〜第５信号ピンコンタクト１３０Ａ〜１３０Ｅをベースインシュレータ１４０に保持することができる。
【００３６】
２．各第１〜第５信号ピンコンタクト１３０Ａ〜１３０Ｅを９０°曲げる。図４には、各第１〜第５信号ピンコンタクト１３０Ａ〜１３０Ｅが、ベースインシュレータ１４０に圧入され、９０°曲げられている状態が示されている。
【００３７】
９０°曲げした信号ピンコンタクトを圧入する、又は、インサート成形しても良い。
【００３８】
３．ベースインシュレータ１４０の各溝１４１に各第１コラム用シールド板１１０Ａを、溝１４２に第２コラム用シールド板１１０Ｂを、それぞれ圧入する。
【００３９】
４．ベースインシュレータ１４０の溝１４５、溝１４６に、第１ライン用シールド板１２０Ａ、第２ライン用シールド板１２０Ｂを、それぞれ圧入する。各第１コラム用シールド板１１０Ａ、第２コラム用シールド板１１０Ｂと第１ライン用シールド板１２０Ａ、第２ライン用シールド板１２０Ｂは、それぞれの切り欠き１２２により接続及び固定される。
【００４０】
５．ベースインシュレータ１４０とフロントインシュレータ１５０を合体させる。各第１〜第５信号ピンコンタクト１３０Ａ〜１３０Ｅがフロントインシュレータ１５０の各穴１５３にそれぞれ挿入され、各第１コラム用シールド板１１０Ａ、第２コラム用シールド板１１０Ｂがフロントインシュレータ１５０の各溝１５１、溝１５２にそれぞれ挿入される。このとき、各信号ピンコンタクト１３０Ａ〜１３０Ｅは、固定部１３３によりフロントインシュレータ１５０に保持される。このとき、フロントインシュレータ１５０の階段状部１５４とベースインシュレータ１４０の階段状部１４４が、互いに合わされることにより、ピンコネクタ１００を基板に打ち込む際に必要な力を、各信号ピンコンタクト１３０Ａ〜１３０Ｅの基板方向に加えることができる。したがって、ピンコネクタ１００を基板に安定して実装することができる。
【００４１】
前述のように、ピンコネクタ１００は構成される。したがって、各第１〜第５信号ピンコンタクト１３０Ａ〜１３０Ｅは、左右両側に第１コラム用シールド板１１０Ａと第２コラム用シールド板１１０Ｂを備え、かつ、各第１コラム用シールド板１１０Ａは断面コ字状に構成され、また、前後両側に第１ライン用シールド板１２０Ａと第２ライン用シールド板１２０Ｂを備えているので、外部から及ぼされるノイズの対策が行われている。よって、電気的に信頼性の高い高周波用コネクタを提供することができる。図５は、ピンコネクタ１００からベースインシュレータ１４０とフロントインシュレータ１５０が除去された状態の概略的斜視図であり、第１〜第５信号ピンコンタクト１３０Ａ〜１３０Ｅが、第１コラム用シールド板１１０Ａ、第２コラム用シールド板１１０Ｂ、第１ライン用シールド板１２０Ａ及び第２ライン用シールド板１２０Ｂにより遮断されている状態を示す。
【００４２】
本実施例１では、各信号ピンコンタクト１３０Ａ〜１３０Ｅが、フロントインシュレータ１５０に保持されるが、各第１コラム用シールド板１１０Ａ、第２コラム用シールド板１１０Ｂ、第１ライン用シールド板１２０Ａ及び第２ライン用シールド板１２０Ｂがフロントインシュレータ１５０に保持されるように設計変更することができる。また、各信号ピンコンタクト１３０Ａ〜１３０Ｅと各シールド板１１０Ａ，１１０Ｂ，１２０Ａ，１２０Ｂとがフロントインシュレータ１５０に保持されるように設計変更することもできる。
【００４３】
また、本実施例では、第２シールド板（ライン用シールド板）は２枚用いたが、第１ライン用シールド板と第２ライン用シールド板との間に、１枚以上のライン用シールド板を配置するようにしてもよい。
【図面の簡単な説明】
【００４４】
【図１】本発明の実施例１のピンコネクタの斜視図である。
【図２】同ピンコネクタの相手側コネクタとなるソケットコネクタを構成する部品のモジュールの斜視図である。
【図３】同ピンコネクタの諸部品の分解斜視図である。
【図４】各信号ピンコンタクトが、ベースインシュレータに圧入され、９０°曲げられている状態の側面図である。
【図５】同ピンコネクタから同ベースインシュレータとフロントインシュレータが除去された状態の概略的斜視図である。
【図６】従来のシールド機能を有するアングルタイプのコネクタの斜視図である。
【図７】同コネクタのハウジングにチクレットが装着される前の状態の斜視図である。
【符号の説明】
【００４５】
１００  ピンコネクタ
１１０Ａ  第１コラム用シールド板
１１０Ｂ  第２コラム用シールド板
１１１  接触ばね
１１２  切り欠き（係合部）
１２０Ａ  第１ライン用シールド板
１２０Ｂ  第２ライン用シールド板
１２１  接続部
１２２  切り欠き（係合部）
１３０Ａ  第１信号ピンコンタクト
１３０Ｂ  第２信号ピンコンタクト
１３０Ｃ  第３信号ピンコンタクト
１３０Ｄ  第４信号ピンコンタクト
１３０Ｅ  第５信号ピンコンタクト
１３１  端子部
１３２  位置決め部
１３３  固定部
１３４  接続部
１４０  ベースインシュレータ
１４１  溝
１４２  溝
１４３  穴
１４４  階段状部
１４５  溝
１４６  溝
１５０  フロントインシュレータ
１５１  溝
１５２  溝
１５３  穴
１５４  階段状部
【図１】
2006269107.tif 000003
【図２】
2006269107.tif 000004
【図３】
2006269107.tif 000005
【図４】
2006269107.tif 000006
【図５】
2006269107.tif 000007
【図６】
2006269107.tif 000008
【図７】
2006269107.tif 000009
【手続補正書】
【提出日】平成18年1月12日(2006.1.12)
【手続補正１】
【補正対象書類名】図面
【補正対象項目名】図１
【補正方法】変更
【補正の内容】
【図１】
2006269107.tif 000010